(57)【要約】【課題】鼻矯正具において、ソフトな肌触りでありながら鼻を確実に挟持でき、鼻に対する十分な矯正力を発揮させる。【解決手段】鼻の左鼻翼６ａ側に配置される左挟持体２と、鼻の右鼻翼６ｂ側に配置される右挟持体３とを備え、左挟持体２と右挟持体３とはシリコンゴムにより構成され、左挟持体２と右挟持体３とが弾性変形により左右に広がった状態で鼻を左右から挟持するように、左挟持体２と右挟持体３との鼻背５側の端部同士が連結体４により互いに連結されている。【選択図】図１
0003114869.tif 000002
【実用新案登録請求の範囲】
【請求項１】
鼻の左鼻翼（６ａ）側に配置される左挟持体（２）と、鼻の右鼻翼（６ｂ）側に配置される右挟持体（３）とを備え、左挟持体（２）と右挟持体（３）とはシリコンゴムにより構成され、左挟持体（２）と右挟持体（３）とが弾性変形により左右に広がった状態で鼻を左右から挟持するように、左挟持体（２）と右挟持体（３）との鼻背（５）側の端部同士が連結体（４）により互いに連結されていることを特徴とする鼻矯正具。
【請求項２】
前記連結体（４）と、左挟持体（２）と右挟持体（３）とは別体に形成され、左挟持体（２）と右挟持体（３）とが弾性変形により左右に広がった状態で鼻を左右から挟持するように、前記連結体（４）が左挟持体（２）と右挟持体（３）との鼻背（５）側の端部同士を互いに圧着していることを特徴とする請求項１に記載の鼻矯正具。
【請求項３】
前記連結体（４）は、左挟持体（２）の鼻背（５）側の側面に沿う左翼部（１０）と、右挟持体（３）の鼻背（５）側の側面に沿う右翼部（１１）と、これら左翼部（１０）と右翼部（１１）とを連結する連結部（１２）とを有し、左挟持体（２）と右挟持体（３）とで鼻を左右に挟持したときに連結体（４）の左翼部（１０）と右翼部（１１）とが弾性変形により左右に広がって、前記左挟持体（２）と右挟持体（３）とによる鼻の挟持に、連結体（４）の弾性変形による復元力が作用するように、連結体（４）が弾性変形可能に構成されていることを特徴とする請求項１又は２に記載の鼻矯正具。
【請求項４】
前記連結体（４）は左挟持体（２）と右挟持体（３）との鼻背（５）側の端部に一体形成され、左挟持体（２）と右挟持体（３）とが弾性変形により左右に広がった状態で鼻を左右から挟持するように、前記連結体（４）が左挟持体（２）と右挟持体（３）との鼻背（５）側の端部同士を互いに連結していることを特徴とする請求項１に記載の鼻矯正具。
【請求項５】
前記左挟持体（２）と右挟持体（３）との左右鼻翼（６ａ，６ｂ）側が分岐拡開して鼻と面接するように、左右鼻翼（６ａ，６ｂ）側から鼻背（５）側に向かうスリット（１３）が、左挟持体（２）及び右挟持体（３）とに形成されていることを特徴とする請求項１〜４のいずれかに記載の鼻矯正具。
【請求項６】
前記左挟持体（２）と右挟持体（３）との鼻背（５）側の端部同士を連結体（４）により圧着させたときに、左挟持体（２）と右挟持体（３）との左右鼻翼（６ａ，６ｂ）側同士が左右に押圧し合ってそれぞれ左右方向外方に弾性変形するように、左挟持体（２）と右挟持体（３）とが、鼻背（５）側から左右鼻翼（６ａ，６ｂ）側に向けて左右方向内方側に湾曲形成されていることを特徴とする請求項１〜５のいずれかに記載の鼻矯正具。
【請求項７】
前記左挟持体（２）と右挟持体（３）とは、鼻背（５）側の端部同士が連結帯部（７）を介して連結されていることを特徴とする請求項２に記載の鼻矯正具。
【考案の詳細な説明】
【技術分野】
【０００１】
本考案は、鼻の左右鼻翼側の側面を挟んで、鼻を隆起矯正する鼻矯正具に関するものである。
【背景技術】
【０００２】
この種の鼻矯正具としては、特許文献１のように、ポリエチレン発泡体のように復元性のある板材で略三角形状に形成されて、その一辺に略Ｃ字状に切欠部を形成して、この切欠部の開口部両端を左右摘み部として、左右摘み部で左右鼻翼を挟み込んで鼻を矯正するものが知られている。
【特許文献１】特開２０００−１７５９４９号公報
【考案の開示】
【考案が解決しようとする課題】
【０００３】
前記鼻矯正具は、肌に優しいクッション性を有する材質を用いているが、ポリエチレン発泡体のような柔らかい材質では鼻の挟持力が弱く、鼻に十分な矯正力を付与できなかった。
また、ポリエチレン発泡体のような材質で鼻矯正具を形成すると、皮脂の分泌の多い鼻翼周辺の皮膚で滑って、挟持（矯正）状態を維持しにくいという問題もあった。
本考案は、上記問題点に鑑み、ソフトな肌触りでありながら鼻を確実に挟持でき、鼻に対する十分な矯正力を発揮できる鼻矯正具を提供すること目的とする。
【課題を解決するための手段】
【０００４】
前記目的を達成するため、本考案は、次の手段を講じた。即ち、
鼻の左鼻翼６ａ側に配置される左挟持体２と、鼻の右鼻翼６ｂ側に配置される右挟持体３とを備え、左挟持体２と右挟持体３とはシリコンゴムにより構成され、左挟持体２と右挟持体３とが弾性変形により左右に広がった状態で鼻を左右から挟持するように、左挟持体２と右挟持体３との鼻背５側の端部同士が連結体４により互いに連結されている。
前記連結体４と、左挟持体２と右挟持体３とは別体に形成され、左挟持体２と右挟持体３とが弾性変形により左右に広がった状態で鼻を左右から挟持するように、前記連結体４が左挟持体２と右挟持体３との鼻背５側の端部同士を互いに圧着している。
【０００５】
前記連結体４は、左挟持体２の鼻背５側の側面に沿う左翼部１０と、右挟持体３の鼻背５側の側面に沿う右翼部１１と、これら左翼部１０と右翼部１１とを連結する連結部１２とを有し、左挟持体２と右挟持体３とで鼻を左右に挟持したときに連結体４の左翼部１０と右翼部１１とが弾性変形により左右に広がって、前記左挟持体２と右挟持体３とによる鼻の挟持に、連結体４の弾性変形による復元力が作用するように、連結体４が弾性変形可能に構成されている。
前記連結体４は左挟持体２と右挟持体３との鼻背５側の端部に一体形成され、左挟持体２と右挟持体３とが弾性変形により左右に広がった状態で鼻を左右から挟持するように、前記連結体４が左挟持体２と右挟持体３との鼻背５側の端部同士を互いに連結している。
【０００６】
前記左挟持体２と右挟持体３との左右鼻翼６ａ，６ｂ側が分岐拡開して鼻と面接するように、左右鼻翼６ａ，６ｂ側から鼻背５側に向かうスリット１３が、左挟持体２及び右挟持体３とに形成されている。
前記左挟持体２と右挟持体３との鼻背５側の端部同士を連結体４により圧着させたときに、左挟持体２と右挟持体３との左右鼻翼６ａ，６ｂ側同士が左右に押圧し合ってそれぞれ左右方向外方に弾性変形するように、左挟持体２と右挟持体３とが、鼻背５側から左右鼻翼６ａ，６ｂ側に向けて左右方向内方側に湾曲形成されている。
【０００７】
前記左挟持体２と右挟持体３とは、鼻背５側の端部同士が連結帯部７を介して連結されている。
【考案の効果】
【０００８】
本考案により、ソフトな肌触りでありながら鼻を確実に挟持でき、鼻に対する十分な矯正力を発揮できる。
【考案を実施するための最良の形態】
【０００９】
以下、本考案の実施の形態を図面に基づき説明する。なお、特に限定する場合を除き、鼻の高低方向において高い方向、即ち被着者から見て鼻頭に向かう方向を鼻背５側、低い方向、即ち鼻のつけ根に向かう方向をつけ根側とする。また、鼻の中心線より向かって左方向を左鼻翼６ａ側、右方向を右鼻翼６ｂ側とする。さらに、顔の上下方向において鼻の目に近い凹んだ部位を鼻柱９、鼻の頭を鼻尖１５とする。以下、同じ。
図１に示すように、本考案の鼻矯正具１は、鼻柱９から鼻尖１５にかけての鼻背５（鼻の中央稜線部）に沿って、鼻背５の左右両側の鼻側面を挟み上げて、日常のお肌の手入れまたはプチ整形等において鼻を隆起矯正するのに用いられる。前記鼻矯正具１は、左鼻翼６ａ側に配置される左挟持体２と、右鼻翼６ｂ側に配置される右挟持体３と、これらに一体形成されてこれらの鼻背５側同士を連結する連結帯部７と、この左挟持体２と右挟持体３とを鼻背５側の端部同士を圧着する連結体４とで構成されている。
【００１０】
図２に示すように、前記左挟持体２と右挟持体３とは、鼻背５側の端部同士が連結されて面接しており、左右鼻翼６ａ，６ｂ側が弾性変形により鼻側面に沿って左右に広がっている。（なお、連結には連結体４による圧着を含む意味で用いる。以下、同じ。）前記左挟持体２と右挟持体３とは、シリコンゴムで略長方形の板状に形成されており、左右鼻翼６ａ，６ｂ側が左右に弾性変形で広がった状態から対向方向に復元する復元力で鼻を左右から挟持している。
前記シリコンゴムは、オルガノシロキサン結合を主鎖に有する弾性変形可能なシリコン系樹脂であって、アルキルシリコンゴム、フェニルシリコンゴム、フッ化シリコンゴム、ビニルシリコンゴム等を含む。前記シリコンゴムは皮脂分泌の多い鼻皮膚に対して他の樹脂材料より高い摩擦係数を有しており、シリコンゴムを左挟持体２と右挟持体３とに用いることで肌への密着性を高めることができる。これによって、左挟持体２と右挟持体３とを皮膚にソフトな肌触りでありながら強固に鼻皮膚に固定（密着）可能にでき、鼻矯正具１が外れるのを防止できる。
【００１１】
前記連結体４は、前記シリコンゴムより硬質な、例えばＰＶＣ、ＰＥＴ、ＰＰ等の合成樹脂、あるいはアルミや銅板等の金属で構成される弾性体であって、左挟持体２と右挟持体３とを鼻背５側から外嵌している。連結体４は、左挟持体２の鼻背５側の側面に沿う左翼部１０と、右挟持体３の鼻背５側の側面に沿う右翼部１１とを略平行に備え、これら左翼部１０と右翼部１１との端部同士を連結する連結部１２とを有している。
前記左翼部１０と右翼部１１とは、連結部１２の左右両端側にそれぞれ鼻背５側が接続されており、鼻背５側に比べて左右鼻翼６ａ，６ｂ側が弾性変形して左右に広がるようになっているので、左右に広がった状態から対向方向に向けて復元する際に強い復元力を発揮して、左挟持体２と右挟持体３とを対向方向に挟持する。よって、鼻には左右に広がった左挟持体２と右挟持体３との弾性変形による復元力に加えて、連結体４の弾性変形による復元力が作用し、両者の復元力が協働的に作用して強い矯正力が作用するので、鼻に対して十分な矯正力を発揮できる。
【００１２】
前記左挟持体２と右挟持体３とには、左右鼻翼６ａ，６ｂ側から鼻背５側に向かって延びるスリット１３が複数形成されている。（図１参照。）前記スリット１３を設けることで、左挟持体２と右挟持体３との左右鼻翼６ａ，６ｂ側の先端は分岐され、分岐部分で各個に左右鼻翼６ａ，６ｂ側の側面に密着するので、小鼻やその境目などの複雑な曲面形状を有する鼻の側面に対する密着力をアップさせられる。また、鼻に対する強い矯正力を分散して肌に対する締め付け力を分散でき、肌に痕が残るのを防止できるようになっている。
【００１３】
前記連結帯部７は、前記左挟持体２と右挟持体３との鼻背５側の端部の間に帯板状に一体形成された部材であって、左挟持体２と右挟持体３とを鼻背５側の端部同士で連結している。前記連結帯部７は、前記左挟持体２と右挟持体３と同様にシリコンゴムで形成されているので、前記左挟持体２と右挟持体３と、連結帯部７とを一体に形成可能であり、部品点数を減らして鼻矯正具１の製造コストの低廉化に有利である。また、前記連結帯部７は、前記左挟持体２と右挟持体３とより薄肉で形成されており、この連結帯部７を境に前記左挟持体２と右挟持体３との折曲げを容易としており、連結帯部７を境として折り曲げることで左挟持体２と右挟持体３とを揃えて連結体４に嵌着しやすくなっている。
【００１４】
図３は、連結体４を取り付ける前の左挟持体２と右挟持体３とを示している。連結体４による圧着がない状態においては、前記左挟持体２と右挟持体３とは鼻背５側から左右鼻翼６ａ，６ｂ側にかけての中途部（図３における左右の中途部）が図３における上方（鼻への装着状態における左右両側）に突出した湾曲形状に形成されており、前記連結体４は下方（鼻への装着状態における左右鼻翼６ａ，６ｂ側）に向かって開口するように設けられている。前記連結帯部７は左挟持体２と右挟持体３とより薄肉に形成されているので、左挟持体２と右挟持体３とは連結帯部７を境として湾曲面の内面を対向させる方向に折り曲げ可能となっており、折り曲げ後に左挟持体２と右挟持体３とを揃えて図３の下方から前記連結体４に嵌挿できる。
【００１５】
図４は、図３における連結体４に、左挟持体２と右挟持体３とを鼻背５側から差し込んで、連結体４により連結状態にある鼻矯正具１の鼻を挟持していない状態を示している。
前記左挟持体２と右挟持体３とは、湾曲形状の径内側（湾曲面の内面側）が互いに対面するように、即ち前記鼻背５側から左右鼻翼６ａ，６ｂ側の先端までの中途部が左右に離間して、左右鼻翼６ａ，６ｂ側の先端が当接した略太鼓状になっている。これによって、左挟持体２と右挟持体３とが複雑な曲線断面形状を有する鼻側面にフィットし易くなり、前記鼻背５側から左右鼻翼６ａ，６ｂ側の先端まで間で均一に強い挟持力を発揮させられるようになる。
【００１６】
図５は鼻矯正具１の他の使用方法を示している。前記連結体４内まで鼻の鼻背５側先端を差し込んで、前記連結体４の左翼部１０と右翼部１１とが鼻により大きく左右に広がって弾性変形しており、この連結体４の弾性変形からの復元力によりさらに強い挟持力（矯正力）が鼻に及ぶので、より強い鼻の矯正効果を発揮させられるようになっている。
図６において、前記連結体４は左挟持体２と右挟持体３と同様にシリコンゴムで形成されており、前記連結体４は左挟持体２と右挟持体３との鼻背５側の端部に一体形成され、前記連結体４は左挟持体２と右挟持体３とを連結している。この連結体４は断面視コの字状に成形されており、外力が作用していない自然状態では、左挟持体２と右挟持体３との左右鼻翼６ａ，６ｂ側先端が互いに当接するように曲成されているので、左挟持体２と右挟持体３とが弾性変形により左右に広がると、左挟持体２と右挟持体３とが対向する方向に復元力が発生し、鼻を左右から挟持する。シリコンゴムの復元力によるソフトな矯正力と高い摩擦係数による良好な密着性によって、長時間利用しても使用者の気になる（邪魔になる）ことがないので、就寝時等に利用して鼻の矯正が可能となる。
【００１７】
本考案は前記実施形態における各部材の形状およびそれぞれの前後・左右・上下の位置関係は、図１〜６に示すように構成することが最良である。しかし、前記実施形態に限定されるものではなく、部材、構成を種々変形したり、組み合わせを変更したりすることもできる。
前記連結体４は弾性変形可能な合成樹脂あるいは金属で形成するのが好ましいが、弾性変形しにくい硬質材料を用いても良い。また、左挟持体２と右挟持体３とは、平板形状でなくてもよく、左右鼻翼６ａ，６ｂ側に向かって先端先太りとしても良い。また、スリット１３は設けなくても良く、その本数には限定はない。
【００１８】
なお、前記左挟持体２と右挟持体３とは湾曲形状に形成するのが好ましいが、くの字状に屈曲させたり、湾曲させなくても良い。また、前記連結帯部７に代えて、左挟持体２と右挟持体３とを一体形成して、その間に折り目を予め形成しても良く、左挟持体２と右挟持体３とを別体に（個別に）形成しても良い。
なお、前記左挟持体２と右挟持体３とには互いの対向面に、肌に型付きを生じ難いような滑り止め構造、例えば断面視波状のヒダや溝、またはなだらかに凹凸する突起部などを形成しても良い。
【図面の簡単な説明】
【００１９】
【図１】本考案の第１実施形態の鼻矯正具の使用状態を示す斜視図である。
【図２】同使用状態の容部断面図である。
【図３】同連結体取付前の容部断面図である。
【図４】同使用前（連結体取付後）の容部断面図である。
【図５】同鼻矯正具の図２とは異なる使用状態を示す容部断面図である。
【図６】本考案の第２実施形態の鼻矯正具の使用状態を示す斜視図である。
【符号の説明】
【００２０】
１    鼻矯正具
２    左挟持体
３    右挟持体
４    連結体
５    鼻背
６    鼻翼
７    連結帯部
１０  左翼部
１１  右翼部
１２  連結部
１３  スリット
【図１】
0003114869.tif 000003
【図２】
0003114869.tif 000004
【図３】
0003114869.tif 000005
【図４】
0003114869.tif 000006
【図５】
0003114869.tif 000007
【図６】
0003114869.tif 000008